(57)【特許請求の範囲】
【請求項１】
陰極線管と、
上記陰極線管に取付けられているラスタ発生のための偏向コイルと、
上記偏向コイルに結合されていて、上記偏向コイル中に偏向電流を発生させる偏向信号増幅器と、
上記偏向信号増幅器に結合されていて、上記偏向コイル中に偏向補正電流を発生させる波形変調器と、
上記陰極線管に取付けられているラスタ補正のための補助コイルと、
上記補助コイルに結合されていて、上記補助コイル中に補助補正電流を発生させる補助コイル駆動増幅器と、
第１の表示端辺における補正信号を生成する上記波形変調器に結合されていて、第１の補正信号を発生する第１の補正信号発生手段と、
上記第１の表示端辺の反対側の表示端辺における補正信号を生成する上記補助コイル駆動増幅器に結合されていて、第２の補正信号を発生する第２の補正信号発生手段と、
を具備する、表示偏向補正手段を有するビデオ表示装置。
【請求項２】
陰極線管と、
上記陰極線管に取付けられている第１のコイルであって、偏向と、この第１のコイル中に発生される第１の補正電流に応答してラスタ端辺の直線性の補正とを行う上記第１のコイルと、
上記陰極線管に取付けられている第２のコイルであって、この第２のコイル中に発生される第２の補正電流に応答して上記ラスタ端辺の直線性の補正を行う上記第２のコイルと、
互いに向い合ったラスタ端辺に対する補正を行う上記第１の補正電流を発生する第１の補正電流発生手段と、
上記互いに向い合ったラスタ端辺の中の一方のラスタ端辺に対する補正を行う上記第２の補正電流を発生する第２の補正電流発生手段と、
を具備する、偏向波形補正手段を有するビデオ表示装置。
【発明の詳細な説明】
【０００１】
【産業上の利用分野】
この発明は、ビデオ表示装置の分野に関し、さらに詳しくいえば陰極線管表示器用の偏向波形補正信号の発生に関する。
【０００２】
【発明の背景】
製造・生産コストを考慮すると、直視型テレビジョン受像機の設計を基本として投射表示型受像機を設計する方がよい。そのような投射型表示の受像機の設計においては、基本となる受像機の製造、テストおよび調整の工程を基本的には（ｅｓｓｅｎｔｉａｌｌｙ）変更せずに、基本となる受像機に最小限の変更を加えることを原則として設計する。
【０００３】
投射型ビデオ表示装置においては、直視型表示装置におけるラスタ歪が、湾曲したフェースプレートを持つ（曲面フェースプレートと略称する）陰極線管とラスタの光学的投射経路（パス）に固有の拡大率とによりさらに悪化してしまう。それでも、曲面フェースプレートの陰極線管を使用すると、投射路長を短くすることができ、また、光学的結像機構を簡単にできる利点がある。
【０００４】
投射型表示装置においては、補助偏向補正コイルを使用したり、ラスタ端辺（端縁、ｅｄｇｅ）を独立に制御する制御手段を設けることが知られている。しかしながら、本発明に係わる偏向補正方法においては、直視型偏向波形補正信号と投射されたラスタにおける厳格なコンバーゼンス仕様要求とを組合せることにより偏向補正を行うようにする。
【０００５】
【発明の概要】
ラスタ（歪）補正を行うビデオ表示装置は、ラスタ発生用の偏向コイルが取付けられている陰極線管を具えている。この偏向コイルには偏向信号増幅器が結合されていて、偏向コイル中に偏向電流を発生させる。補正波形変調器が偏向信号増幅器に結合されていて、偏向コイルの中に第１の補正電流を発生させる。補助コイルがラスタ（歪）補正のために陰極線管に取付けられている。補助コイル駆動増幅器がこの補助コイルに結合されていて、補助コイル中に第２の補正電流を発生させる。第１の補正信号は波形変調器に結合されて第１のラスタ端辺におけるラスタ端辺直線化補正信号を発生させ、第２の補正信号は上記補助コイル駆動増幅器に結合されて第１のラスタ端辺とは反対側の端辺におけるラスタ端辺直線化補正信号を発生させる。
請求の範囲に記載された事項と実施例との対応関係を、図面で使われている参照番号で示すと次の通りである。
（請求項１）  陰極線管（１００）と、
上記陰極線管（１００）に取付けられているラスタ発生のための偏向コイル（ＲＨ）と、
上記偏向コイル（ＲＨ）に結合されていて、上記偏向コイル中に偏向電流を発生させる偏向信号増幅器（７０）と、
上記偏向信号増幅器（７０）に結合されていて、上記偏向コイル（ＲＨ）中に偏向補正電流（Ｉ１ｃｏｒ）を発生させる波形変調器（６５）と、
上記陰極線管（１００）に取付けられているラスタ補正のための補助コイル（ＲＨＣ）と、
上記補助コイル（ＲＨＣ）に結合されていて、上記補助コイル（ＲＨＣ）中に補助補正電流（Ｉ２ｃｏｒＲ）を発生させる補助コイル駆動増幅器（１１０）と、
第１の表示端辺における補正信号を生成する上記波形変調器（６５）に結合されていて、第１の補正信号を発生する第１の補正信号発生手段（１０、５０）と、
上記第１の表示端辺の反対側の表示端辺における補正信号を生成する上記補助コイル駆動増幅器（１１０）に結合されていて、第２の補正信号（ＣｏｒＳＲ）を発生する第２の補正信号発生手段（６００）と、
を具備する、表示偏向補正手段を有するビデオ表示装置。
（請求項２）  陰極線管（１００）と、
上記陰極線管（１００）に取付けられている第１のコイル（ＲＨ）であって、偏向と、この第１のコイル中に発生される第１の補正電流（Ｉ１ｃｏｒ）に応答してラスタ端辺の直線性の補正とを行う上記第１のコイル（ＲＨ）と、
上記陰極線管（１００）に取付けられている第２のコイル（ＲＨＣ）であって、この第２のコイル中に発生される第２の補正電流（Ｉ２ｃｏｒＲ）に応答して上記ラスタ端辺の直線性の補正を行う上記第２のコイル（ＲＨＣ）と、
互いに向い合ったラスタ端辺に対する補正を行う上記第１の補正電流（Ｉ１ｃｏｒ）を発生する第１の補正電流発生手段（１０、５０）と、
上記互いに向い合ったラスタ端辺の中の一方のラスタ端辺に対する補正を行う上記第２の補正電流（ＣｏｒＳＲ）を発生する第２の補正電流発生手段（３０）と、
を具備する、偏向波形補正手段を有するビデオ表示装置。
【０００６】
【実施例】
図１は、陰極線管投射型ビデオ表示装置を表す図である。３個の陰極線管が、各陰極線管の蛍光表示面から各画像をスクリーン上に投影するように機械的に配置され、光学的に結合されている。ビデオ信号が端子Ａに入力され、クロミナンス分離回路に結合される。このクロミナンス分離回路によりカラー信号（例えば、赤、緑および青）が抽出され、対応する表示用陰極線管に結合される。また、この入力ビデオ信号は水平および垂直同期パルスを分離する同期信号分離器にも結合され、水平発振器および水平偏向信号発生器と垂直発振器および垂直偏向信号発生器を同期化するために結合される。垂直偏向信号増幅器は直列接続されている複数の垂直偏向コイルに結合されている。水平偏向信号発生器は並列接続されている複数の水平偏向コイルに結合されている。水平偏向波形補正信号は、３つ全てのラスタの補正を行うダイオード変調器に結合される。
【０００７】
投射型表示装置においてさらに必要とされる形状寸法補正は、各陰極線管ごとの水平および垂直偏向補正を行う補助偏向コイルによって行われる。補助水平偏向コイルは、補正信号の振幅調整用の複数の制御手段を具える個別の増幅器によって駆動される。特定の補正波形が生成されて、特定のラスタ端辺の領域だけに対する補正を与えるが、この特定の補正波形は１トレース期間よりも短い持続時間を有する。主水平偏向信号発生器は、水平偏向信号を発生し、さらに、３つ全てのラスタのマスタ（主）水平波形補正、例えばピンクッション歪および台形（ｔｒａｐｅｚｅ）歪補正、を与える。しかし、マスタピンクッション歪制御手段およびマスタ台形歪制御手段は水平ラスタ全体にわたって動作状態にあるが、１つのラスタの端辺（例えば右側の端辺）を特定して補正するように調整されている。図２（Ｊ）は、緑のラスタまたは緑の表示画像の例を示すもので、水平偏向コイルによりマスタ台形歪補正およびマスタピンクッション歪補正が行われ、右側の端辺ＲＨＳが最適化されることを示している。ラスタまたは表示の左側の端辺ＬＨＳは個々の陰極線管ごとに補助水平偏向コイル中に発生する補正電流により調整される。これらの補助偏向電流は、例えばラスタのある限定された領域で作用する直線性歪補正、ピンクッション歪補正および台形歪補正を与える。従って、水平ラスタ補正は、主偏向コイルと補助偏向コイルとで供給される２種類の補正電流の組合せで行われる。
【０００８】
ビデオ表示信号は、端子Ａに結合され、端子Ａからクロミナンス・プロセッサ４０と同期パルス分離器２０とに供給される。クロミナンス・プロセッサ４０により表示信号からカラー信号、例えば赤Ｒ、緑Ｇおよび青Ｂの信号が抽出され、これらカラー信号は対応する色の陰極線管に結合される。同期パルス分離器２０は入力表示信号から水平および垂直同期パルスを抽出する。分離された水平同期パルスＨは水平発振器および水平偏向信号増幅器７０に結合されてこれらを同期化する。垂直同期パルスは垂直偏向信号発生器８０に結合されてこれを同期化する。垂直偏向信号発生器８０に含まれている偏向信号増幅器は、直列に接続されている各陰極線管の垂直偏向コイルに結合されている。偏向電流サンプルＩｓ、即ち垂直周波数鋸歯状波形信号は、垂直偏向信号発生器８０から波形発生器１０に結合される。垂直リトレース（帰線）パルスＶＲＴは、垂直偏向信号発生器８０により発生されて、パルスおよび波形発生器３０に結合される。波形発生器１０は垂直周波数鋸歯状波形信号Ｉｓを処理して、ピンクッション歪補正用のパラボラ（放物線）波形の信号を発生する。垂直周波数鋸歯状波形信号Ｉｓは制御手段ＴＲＡＰに結合されて、ピンクッション歪補正信号中に台形歪補正成分を供給する。波形発生器１０からの出力信号には垂直周波数鋸歯状波成分を有するパラボラ信号Ｃ１が含まれており、このパラボラ信号は振幅制御手段ＰＩＮに結合されている。このピンクッション歪および台形歪補正の混成信号は加算および波形整形増幅器５０に有利に結合されて、そこで偏向幅決定直流（ＤＣ）成分がこのピンクッション歪および台形歪補正混成信号に組合わされる。加算および波形整形増幅器５０ではこのコンデンサＣｓを介した周波数感知フィードバックを用いており、コンデンサＣｓの値は歪補正混成信号波形に対して別の補正成分を加えるように選択されている。図２（Ｃ）はピンクッション歪および台形歪補正を行った後のラスタを示しているが、水平線（ライン）の長さに垂直周波数（周期）のＳ字形または正弦波形状の歪（ｅｒｒｏｒ）があることを表わしている。図２（Ｄ）は、加算および波形整形増幅器５０においてパラボラ波形によるピンクッション歪補正信号に対して処理（別の補正成分を加える処理）を行うことにより生じる補正作用を受けた補正後のラスタを示している。
【０００９】
加算および波形整形増幅器５０の出力における寸法形状補正および偏向幅決定信号Ｈｃは、ピンクッション電力増幅器６０に結合される。図３に示すように、ピンクッション電力増幅器６０は、ダーリントン回路を構成するように接続された１対のトランジスタＱ１およびＱ２を具えている。ピンクッション電力増幅器６０は、周知の様式で動作するダイオード変調器６５に結合されている。ダイオード変調器６５は、周知のように偏向信号増幅器７０の出力に結合されていて、補正電流Ｉ１ｃｏｒを生成する。この補正電流は、３個の表示用陰極線管全部に対して偏向幅の制御とともに水平偏向信号信号のピンクッション歪、台形歪およびＳ字歪の補正を行う。偏向信号増幅器７０は、同期パルス分離器２０においてビデオ表示信号から分離された水平同期パルスＨにより同期化される水平発振器をも具えている。水平リトレースパルスＨＲＴは、図示されていない水平出力変圧器の巻線により発生されて、波形発生器１０および３０に結合される。
【００１０】
図１には３個の陰極線管１００、２００、３００が示されている。これら３個の陰極線管は、個々のラスタを投射してスクリーン５００上に単一のラスタを形成するように機械的に配置されている。各陰極線管は供給された特定のカラー信号に対応する基本的に単色のカラーラスタを表示する。例えば、中央の陰極線管２００は緑のラスタ表示を行うものであり、スクリーン５００の面に対してラスタ中心の投射線が直交するように配置されている。他の２個の陰極線管は中央の陰極線管の位置に対して対称的に偏位して配置され、その結果、この両陰極線管のラスタ中にはスクリーン５００の面に直交するように投射される部分が存在しない。従って、図１の非常に簡略化された配置において、両側の表示ラスタは電子ビーム走査に起因する寸法形状歪に加えて、さらに別の台形歪みを受けることになる。図１に示される陰極線管は、凹球面状に湾曲した蛍光表示面を持っている。曲面のフェースプレートを有する陰極線管には、例えば松下電子製のＰ１６ＬＥＴ０７（ＲＪＡ）型の赤のチャンネル用、Ｐ１６ＬＥＴ０７（ＨＫＡ）型の緑のチャンネル用、Ｐ１６ＬＥＴ０７（ＢＭＢ）型の青のチャンネル用がある。凹球面状の蛍光表示面上に形成される画像とは、球面上に投射された画像と同様のようなものであると考えてよい。移動調整した場合の結果を考えれば、寸法形状補正の複雑さがよく理解できるであろう。このように垂直または水平方向に移動すると、画像の各隅部は端辺の中央部の移動量に対して異なる割合で移動することになる。即ち、移動調整を行うと、表示にピンクッション歪と台形歪とが混合した歪が生じる。このように、投射された画像はスクリーン上に正確に重ね合わせられた３つのラスタで形成されているので、電子ビーム偏向、陰極線管フェースプレート形状および光学的表示経路に起因する混合した表示歪を補正するには、複数の補正偏向波形を組合わせることが必要となる。
【００１１】
図１において、各陰極線管は４つのコイルを有するように表されている。例えば、赤の陰極線管１００には、水平偏向コイルＲＨ、垂直偏向コイルＲＶおよび補助偏向コイルＲＶＣ、ＲＨＣが取付けられているように表されている。各補助偏向コイルはそれぞれ垂直偏向補正および水平偏向補正を行う手段を構成している。緑および青の２個の表示陰極線管のコイルについても赤の陰極線管のコイルの場合と同様になっている。図１の構成要素６００に示される内部の機能は、主水平偏向回路により生成される水平偏向補正にさらに加えられる水平偏向補正を生成する手段を構成していると考えることができる。
【００１２】
補助垂直偏向コイルは図示されていない対応する（適正な）補正信号により駆動される。各補助水平偏向コイルは補助水平偏向信号増幅器により駆動される。例えば、補助水平偏向信号増幅器１１０は赤の補助コイルＲＨＣに結合されており、同様に、補助水平偏向信号増幅器２１０は緑の補助コイルＧＨＣに結合されていて、補助水平偏向信号増幅器３１０は青の補助コイルＢＨＣに結合されている。赤、緑および青の補助水平偏向信号増幅器は各補助水平偏向コイルＲＨＣ、ＧＨＣおよびＢＨＣ中にそれぞれ補正電流Ｉ２ｃｏｒＲ、Ｉ２ｃｏｒＧおよびＩ２ｃｏｒＢを生成する。
【００１３】
赤および青の補助水平偏向信号増幅器１１０および３１０は簡略化した形式で示されており、３つの別々に制御されている補正信号入力、即ち、左側直線性歪補正信号Ｌ１、左側ピンクッション歪補正信号Ｌｐおよび左側台形歪補正信号Ｌｔ、のみが示されている。但し、実際には、赤および青の各補助水平偏向信号増幅器には約８種類の補正信号ＣまたはＳＲおよびＣまたはＳの入力があり、これらの信号は各補助水平偏向信号増幅器において可変制御されて加算される。緑の補助水平偏向信号増幅器２１０は２つの補正信号入力、即ち左側ピンクッションＬｐおよび左側台形Ｌｔを有するように示してある。ＬｐとＬｔは加算されて、補正信号ＣまたはＳＧを形成する。緑の補助水平偏向信号増幅器２１０は赤および青の補助水平偏向信号増幅器よりも少ない補正入力信号を有するが、これは緑の陰極線管ラスタまたは画像を基準にして赤および青のラスタまたは投射画像の整合またはコンバーゼンス（集中）を行うためである。
【００１４】
ラスタ歪の種々の形態が図２に例示的に示されている。水平ピンクッション歪または東西（Ｅａｓｔ  Ｗｅｓｔ）歪、即ち左右の歪が図２（Ａ）に示されている。図２（Ｂ）は台形歪または楔形歪を示している。図２（Ｃ）には、水平線の長さが垂直周波数（周期）でＳ字状または正弦波関数状に変化することが示されている。補正後の表示ラスタが図２（Ｄ）に示されている。
【００１５】
補正信号、即ち、左側直線性歪補正信号Ｌｌ、左側ピンクッション歪補正信号ＬＰおよび左側台形歪補正信号Ｌｔは、パルスおよび波形発生器３０により発生される。図２（Ｅ）は水平偏向台形歪補正信号の１水平期間を表している。このような信号の発生方法は周知であり、例えば、そのような信号は図３に例示的に示されるように水平周波数鋸歯状波に対する垂直周波数鋸歯状波による乗算または変調を行って生成することができる。１つのラスタ端辺の補正、例えば左側端辺の補正は、図２（Ｆ）に示されるような信号を生成することにより行われ、その場合、変調された信号は水平周期内に部分的にのみ存在する。図２（Ｆ）には左側の水平偏向台形歪補正信号が示されているが、その波形はいずれか一方の端辺の補正を与えるように生成され、または切落とされる（ｔｒｕｎｃａｔｅ）。さらに、その波形は必ずしも水平トレース期間の中心点で正確に開始し、終了する必要はない。このような左側または右側の補正波形の生成方法は周知である。例えば、米国特許第４，９３５，６７４には種々の切落とされた波形の生成方法が記載されている。
【００１６】
図３には、補正信号発生方法が示されており、変調器、例えばＡＮ６１４型の集積回路には水平周波数および垂直周波数の鋸歯状波形信号、Ｈ．ＳＡＷおよびＶ．ＳＡＷが供給されている。この集積回路からの変調された出力信号は、エミッタ・ホロワ型に接続されているトランジスタＱ１のベース端子に結合される。トランジスタＱ１のエミッタ端子は抵抗Ｒ１を介して接地されており、そのコレクタ端子は正の１２Ｖ電源に接続されている。水平方向の台形歪補正信号ＥはトランジスタＱ１のエミッタに出力される。トランジスタＱ１のエミッタは抵抗Ｒ４を介してエミッタ・フォロワのトランジスタＱ３のベース端子にも結合されている。トランジスタＱ３のエミッタ端子は抵抗Ｒ６を介して接地されている。トランジスタＱ３のコレクタ端子は正の１２Ｖ電源に接続されている。トランジスタＱ３のベースはコンデンサＣ２（の一端）にも接続されており、コンデンサＣ２（の他端）はトランジスタＱ２のコレクタ端子に接続されている。トランジスタＱ２のエミッタ端子は接地されている。トランジスタＱ２のベース端子は抵抗Ｒ２とＲ３とで形成される分圧器に接続されていて、この分圧器により約０．６Ｖの正の直流電圧が発生する。抵抗Ｒ３は接地され、抵抗Ｒ２は正の１２Ｖ電源に接続されている。水平周波数鋸歯状波形信号Ｈ．ＳＡＷは、コンデンサＣ１を介して、抵抗Ｒ２とＲ３との接続点およびトランジスタＱ２のベースに交流（ＡＣ）結合される。トランジスタＱ２は交流結合された信号に応動する電子スイッチとして動作する。図３に示されるように、交流結合された信号は初期状態では抵抗Ｒ２およびＲ３により発生する正の直流バイアス電圧を抑えてトランジスタＱ２をオフ状態にする。トランジスタＱ２のオフ状態において、トランジスタＱ１のエミッタにおける変調された補正信号は、エミッタ・ホロワのトランジスタＱ３に結合されて、そのエミッタに補正出力信号Ｆを生成する。一方、交流結合された水平周波数鋸歯状波形信号が正方向に振れた場合は、トランジスタＱ２はオン状態になって、トランジスタＱ３のベースの信号を接地点に導通させる。このようにして、図２（Ｆ）に示される補正信号が生成される。補正信号Ｆの水平持続時間は抵抗Ｒ２およびＲ３で発生する直流電位の変化に応じて変化する。同様に、水平周波数鋸歯状波信号の振幅が変化すると、スイッチング動作点（タイミング）が変化し、従って、端辺補正信号Ｆの持続時間が変化する。
【００１７】
図２（Ｇ）、（Ｈ）、（Ｉ）にはピンクッション歪補正信号が示されており、図２（Ｇ）には垂直周波数で観測した変調されたパラボラ波形が示されている。図２（Ｈ）には同じ補正信号を水平周波数で観測した場合の水平周波数のランプ信号の振幅変調の状態が示されている。図２（Ｉ）には、水平期間の第１の部分において、振幅変調された水平周波数のランプ信号が発生する様子が示されている。図２（Ｉ）に示されたこの補正信号も、図３に示されるものと同様の方式で発生させることができる。
【００１８】
ラスタの右側端辺の補正を行う信号を発生させる場合には、トランジスタによる別のスイッチング方法を上述の回路に類似した回路で実現することもできる。さらに別の方法としては、変調された補正信号をアナログスイッチに結合し、このアナログスイッチを水平周波数スイッチング信号に応答して制御する方法もある。
【００１９】
図４は、波形発生器１０、加算増幅器５０、ピンクッション増幅器６０、およびダイオード変調器６５を含んでいる主水平偏向補正回路を表す電子回路図である。
【００２０】
２６Ｖの電源電圧は、コンデンサＣ１により接地点に対し減結合されており、また、直列接続されて接地されているツェナー・ダイオードＤ１およびダイオードＤ２の中のツェナー・ダイオードＤ１の陰極（カソード）に抵抗Ｒ６を介して印加されている。ダイオードＤ２はツェナー・ダイオードＤ１のツェナ電流により順方向にバイアスされて温度補償を行う。ツェナー・ダイオードＤ１は１８Ｖの降伏電圧特性を有し、コンデンサＣ２により接地点に対して減結合される。
【００２１】
垂直偏向電流サンプルＩｓの鋸歯状波形信号は、関数発生集積回路Ｕ１、例えばＴＤＡ８１４６型ＩＣ、の反転入力に入力抵抗Ｒ１を介して印加される。集積回路Ｕ１はパルス幅変調回路を含んでおり、必要に応じて変調器用スイッチング駆動信号を発生させる。２６Ｖの電源電圧は抵抗Ｒ１１を介して集積回路Ｕ１のピン８に結合されている。一端が集積回路Ｕ１のピン５に接続され他端が接地されている抵抗Ｒ５により、内部電圧基準および開始回路がバイアスされている。使用されない水平リトレースパルス入力は、集積回路Ｕ１のピン１０において抵抗Ｒ９を介して接地されている。使用されない内部のクリッピング・ツェナー・ダイオードは、集積回路Ｕ１のピン９において抵抗１０を介して接地される。コンデンサＣ４は、集積回路Ｕ１のピン１１と接地点との間に接続されているが、内部のパルス幅変調器と協動して水平周波数鋸歯状波形信号を発生するために必要なものである。
【００２２】
集積回路Ｕ１内の関数発生回路には非線形特性の増幅器が含まれており、この増幅器により鋸歯状波形の入力信号Ｉｓからパラボラ波形信号が生成される。抵抗Ｒ１はポテンシオメータＲ２  ＴＲＡＰの一端にも接続されており、ポテンシオメータＲ２  ＴＲＡＰの他端は集積回路ＩＣ  Ｕ１の非反転入力に接続されている。ポテンシオメータＲ２のワイパは抵抗Ｒ３を介してツェナー・ダイオードＤ１により生成される１８Ｖ直流ＤＣ電位点に結合されている。ポテンシオメータＲ２のワイパ位置を変化させると増幅器の入力にはそれに応じて変化したバイアス電流が入力され、この電流によりパラボラ波形の出力信号が、傾いた形で、または垂直鋸歯状波形のランプ信号の上に効果的に重畳された形で生起する。このようにして、ポテンシオメータＲ２  ＴＲＡＰにより台形歪補正の制御が行われる。また、集積回路ＩＣ  Ｕ１の非反転入力は抵抗Ｒ４を介して接地される。
【００２３】
集積回路Ｕ１のピン１２におけるパラボラ波形発生器の出力は抵抗Ｒ７とＲ８とで形成されている分圧器に結合される。抵抗Ｒ７は１８Ｖ電源に接続されていて、抵抗Ｒ８は接地されている。分圧器はその出力端子が直流約８．５Ｖとなるように設定されている。パラボラ補正信号の出力はコンデンサＣ３により補正信号の振幅制御手段となる可変抵抗Ｒ１２  ＰＩＮに交流結合される。可変抵抗Ｒ１２は集積回路増幅器５０、例えばＬＭ７４１型集積回路増幅器、の反転入力に接続されている。
【００２４】
集積回路増幅器５０は、その出力端子から反転入力へ結合された周波数感応性負帰還路を有する加算増幅器として構成されている。その周波数感応性帰還作用は抵抗Ｒ１６とコンデンサＣｓの並列接続によって生じる。加算増幅器５０の低周波数における利得は、抵抗Ｒ１２  ＰＩＮの設定により決定される。交流信号の利得は主として帰還コンデンサＣｓにより決定され、このコンデンサＣｓは、約６０Ｈｚを越えると交流の利得を減少させ、１０ＫＨｚでは約２６ｄＢ分の減衰を呈するように選択されている。帰還コンデンサＣｓによる周波数応答特性の整形の作用は直観的に理解できる。図２（Ｃ）に示されるラスタ歪は垂直周波数（周期）の、名目上（公称上、ｎｏｍｉｎａｌｌｙ）正弦波形を呈する水平線長歪を表しており、水平線長歪はラスタ頂部、中心部および底部では０（ゼロ）になっている。従って、ラスタ端辺を直線化するためには、ラスタ頂部、中心部および底部で０（ゼロ）値を呈する名目上正弦波状の補正信号を必要とする。加算増幅器５０に入力される名目上パラボラ補正信号は、垂直周波数基本波成分に複数の高調波成分を加えたものから成ると考えられる。従って、必要な補正信号は垂直周波数（周期）を持つ名目上正弦波状の信号であることから、パラボラ信号の基本波成分の振幅を増大させることによって、必要な補正が生成される。このパラボラ信号の基本波成分の振幅は、第２高調波以上の高調波成分の振幅を減少させることにより効果的に増大させることができる。周波数感応性の帰還信号は、パラボラ波形信号の上に効果的に重畳された所定の正弦波状の補正成分を生成するように、補正信号Ｈｃの名目上パラボラの波形に歪を与える。ただし、その基本的波形は、基本的にはパラボラ波形を維持しており、周波数感応性帰還により名目上の遅延だけを受けている。従って、正弦波成分は概ね正確に位置合せまたは移相合せされ、基本的にラスタ頂部、中心部および底部では０補正（無補正）効果を生じるような所定の補正が達成される。高調波成分が減衰するとパラボラ波の尖頭部に小さな形状変化が生じるが、この変化によって混成補正信号全体の補正効果が大きく損なわれることはない。
【００２５】
反転入力は抵抗Ｒ１５を介して非反転入力に結合されている。また、非反転入力は１８Ｖの電源と接地点との間に結合されているポテンシオメータＲ１３  ＷＩＤＴＨのワイパに抵抗Ｒ１４を介して結合されている。ポテンシオメータＲ１３は、加算増幅器５０の非反転入力に対して可変調整できる偏向幅決定直流電位を供給する。加算増幅器５０の出力は、直流の偏向幅決定電位と、垂直周波数の傾斜パラボラ波信号と、コンデンサＣｓによる垂直周波数の正弦波成分とを加算した値を含んで成るアナログ信号である。加算増幅器５０は抵抗Ｒ１７を介して２６Ｖ直流電源に接続されている。加算増幅器５０の出力端子は、抵抗Ｒ１９と接地されている抵抗Ｒ１８との接続点に接続されている。加算補正信号は抵抗Ｒ１９によりＰＮＰ型トランジスタＱ１とＱ２とを具えるダーリントン接続の増幅器６０に結合される。トランジスタＱ１のエミッタはトランジスタＱ２のベースに直接接続され、トランジスタＱ１、Ｑ２のコレクタはともに接地されている。
トランジスタＱ２のエミッタ端子は補正電流Ｉ１ｃｏｒを生成するダイオード変調器６０に接続されていて、この補正電流によって静的（ｓｔａｔｉｃ）および動的（ｄｙｎａｍｉｃ）な水平偏向振幅の制御が行われる。
【００２６】
このようにして、直視型受像機のシャシの設計を基本として投射型ビデオ表示装置を開発した結果、主偏向コイルと補助偏向コイルとの両方に偏向補正信号が印加され、さらに、端辺直線化補正信号が生成されて、良好な表示が得られた。
【図面の簡単な説明】
【図１】本発明に係わる特徴を含んでいる陰極線管投射型ビデオ表示装置の簡単化したプロック図である。
【図２】種々の歪および種々の補正信号波形を表すラスタの図である。
【図３】図２に示されている補正信号を発生するための図１に含まれている部分回路を例示的に示す図である。
【図４】図１に含まれている本発明に係わる回路を例示的に示す図である。
【符号の説明】
１０  波形発生器
３０  パルスおよび波形発生器
５０  加算および波形整形増幅器
６０  ピンクッション電力増幅器
６５  ダイオード変調器
７０  水平同期信号発振器および水平偏向信号増幅器
１００  赤の陰極線管
２００  緑の陰極線管
３００  青の陰極線管
１１０  赤の補助水平偏向信号増幅器
２１０  緑の補助水平偏向信号増幅器
３１０  青の補助水平偏向信号増幅器
【図１】
0003894234.tif 000002
【図２】
0003894234.tif 000003
【図３】
0003894234.tif 000004
【図４】
0003894234.tif 000005